(57)【要約】【課題】  スキュー角調整後にヨークに変形を生じにくい構造の光ピックアップを提供する。【解決手段】  本発明による光ピックアップは、対物レンズ（２）を保持し、トラッキングコイル（５）、フォーカシングコイル（３）を取り付けた対物レンズホルダー（１）と、該対物レンズホルダーを複数のサスペンションワイヤ（１１）を介して揺動可能に支持しているダンパベース（１０）と、前記トラッキングコイル、フォーカシングコイルに対して磁気的に作用するマグネット（１６）を取り付けたヨーク（１５）とを含む。前記ヨークは板状部材で作られ、主面部とその一端側から前記対物レンズの光軸方向と同じ方向に延びる第１の立上げ片（１５−１）とを有し、該第１の立上げ片外面側に前記ダンパベースを当接させて該ダンパベースを前記ヨークに一体化した。【選択図】      図１
2006018887.tif 000002
【特許請求の範囲】
【請求項１】
対物レンズを保持し、少なくともトラッキングコイル、フォーカシングコイルを取り付けた対物レンズホルダーと、該対物レンズホルダーを複数のサスペンションワイヤを介して揺動可能に支持しているダンパベースと、前記トラッキングコイル、フォーカシングコイルに対して磁気的に作用するマグネットを取り付けたヨークとを含む光ピックアップにおいて、
前記ヨークは板状部材で作られ、主面部とその一端側から前記対物レンズの光軸方向と同じ方向に延びる第１の壁部材とを有し、
該第１の壁部材の外面側に前記ダンパベースを当接させて該ダンパベースを前記ヨークに一体化したことを特徴とする光ピックアップ。
【請求項２】
前記対物レンズホルダーは、前記対物レンズホルダーを保持した装着部の両側にそれぞれ前記光軸方向と同じ方向に関して中空の収容部を有し、これら２つの収容部内にそれぞれ空芯の前記フォーカシングコイルをその中心軸が前記光軸方向と同じ方向になるように取り付けており、
前記ヨークは、前記主面部から前記対物レンズの光軸方向と同じ方向に延びる２つのヨーク片を有し、これら２つのヨーク片を前記収容部内の２つの前記フォーカシングコイルの空芯部に挿入していることを特徴とする請求項１に記載の光ピックアップ。
【請求項３】
前記ヨークは更に、前記一端側とは反対側の前記主面部の端部から前記光軸方向と同じ方向に延びる第２の壁部材を有し、
前記第１、第２の壁部材の内面側にそれぞれ前記マグネットを取り付けていることを特徴とする請求項２に記載の光ピックアップ。
【請求項４】
前記第１、第２の壁部材、前記２つのヨーク片は、前記主面部からの折り曲げ加工により形成されたものであることを特徴とする請求項３に記載の光ピックアップ。
【請求項５】
前記主面部は矩形状であり、２つの対角線の内の一方の対角線上の２つのコーナ部に近い箇所にそれぞれ、該ヨークを光学ベースに固定するための第１、第２の固定部を有することを特徴とする請求項１〜４のいずれかに記載の光ピックアップ。
【請求項６】
前記ダンパベースは、前記第１の壁部材側に向けて突出する突出部を有し、該突出部の先端側を前記第１の壁部材の外面側に当接させた状態にて該ダンパベースから前記第１の壁部材に向けて水平方向にネジを螺入して前記ダンパベースを前記ヨークに一体化しており、前記突出部には該ダンパベースを前記光学ベースに固定するための第３の固定部を設けたことを特徴とする請求項５に記載の光ピックアップ。
【発明の詳細な説明】
【技術分野】
【０００１】
本発明は光ディスクドライブの光ピックアップに関し、特に記録密度の異なる２種類の光ディスクを記録・再生する光ディスクドライブに適した光ピックアップに関する。
【背景技術】
【０００２】
周知のように、ＤＶＤプレーヤにおいては、ＤＶＤとＣＤとのいずれに対しても記録・再生可能にするために特別の光ピックアップを備えた光ディスクドライブを搭載したものが存在している。そのような特別の光ピックアップは、ＤＶＤ用の短波長レーザ光（波長約６５０ｎｍ）とＣＤ用の長波長レーザ光（波長約７８０ｎｍ）との２種類のレーザ光を使い分けて記録・再生を行うものであり、２波長対応光ピックアップと呼ばれている。
【０００３】
この種の２波長対応光ピックアップは、ＤＶＤ用の短波長レーザ光を出射するためのＤＶＤ用のレーザダイオード（ＬＤ）と、ＣＤ用の長波長レーザ光を出射するためのＣＤ用のレーザダイオード（ＬＤ）とを備えている（例えば、特許文献１参照）。
【０００４】
いずれにしても、この種の光ディスクドライブは、高さサイズの小さい所謂、薄型（スリム型）にされる傾向にあり、そのために光ピックアップの主要部を構成する光ピックアップアクチュエータも薄型化することが要求されている。
【０００５】
以下、図７〜図９を参照して、従来の２波長対応光ピックアップについて説明する。図７は２波長対応光ピックアップにおける光ピックアップアクチュエータの分解斜視図であり、図８は図７の光ピックアップアクチュエータの組立て後の斜視図である。図９は、図８の光ピックアップアクチュエータを光学ベースに実装した状態を示す斜視図である。
【０００６】
図７において、光ピックアップアクチュエータ２００は、対物レンズホルダー（以下、レンズホルダーと呼ぶ）３０とボビン４０とダンパベース５０とヨーク６０とを備えている。図７では、光ピックアップアクチュエータ２００の長さ方向がタンジェンシャルＴｇ方向、幅方向がトラッキング方向Ｔｒとして示されているが、以下ではそれぞれ長さ方向、幅方向と呼ぶことがある。
【０００７】
レンズホルダー３０は、対物レンズ７１を保持するためのものである。レンズホルダー３０は、ダンパベース５０側に向けて長さ方向に延びる２本のアーム３１を有する。ボビン４０は、中央にフォーカシングコイル４１を収容するための開口４０ａを有する。ボビン４０はまた、長さ方向の両側にそれぞれ、アーム３１を受入れるための溝４０−１を有する。つまり、ボビン４０は、溝４０−１にアーム３１を嵌め込むことでレンズホルダー３０に組み合わされる。ボビン４０におけるレンズホルダー３０側に面した外側壁には２つのトラッキングコイル４２が幅方向に並べて装着されるようになっている。また、ボビン４０をレンズホルダー３０に組合わせた時、ボビン４０の上記外側壁に取り付けられたトラッキングコイル４２とレンズホルダー３０の内壁との間には少し隙間ができるようにされている。その理由については後述する。
【０００８】
ダンパベース５０は、長さ方向の両側にそれぞれ、支持部５０−１を備えている。特に、支持部５０−１は、有底の筒状体を形成するように作られており、開口している方をレンズホルダー３０側に向けている。両側の支持部５０−１にはそれぞれ、上下で一対のサスペンションワイヤ５１が取り付けられる。つまり、各サスペンションワイヤ５１の一端は、支持部５０−１の筒状体の底部を貫通して少し突き出しており、支持部５１から突き出した部分において固定される。各サスペンションワイヤ５１の他端は、ボビン４０の幅方向両側に設けられた固定部４０−２に固定される。つまり、各サスペンションワイヤ５１の他端は、固定部４０−２を貫通して少し突き出しており、固定部４０−２から突き出した部分において固定される。ダンパベース５０におけるレンズホルダー３０と反対側の側壁にはネジ５２により端子板５３が取り付けられる。端子板５３は、４枚の端子５３−１を有し、これらのそれぞれに支持部５１から突き出したサスペンションワイヤ５１の一端が半田付けにより接続される。端子板５３の上側には更に、４枚の端子５３−１を外部回路と接続するためのプリント配線基板５４が取り付けられる。
【０００９】
ヨーク６０は、ボビン４０、ダンパベース５０の下側に配置される。ヨーク６０は、底面部６１と、切り起こしにより底面部６１から立ち上がるように形成された２つの立上げ部６２、６２と、切り起こし及び折り曲げにより底面部６１から立ち上がるように形成された３つのＬ形状部６３、６４、６５とを有している。２つの立上げ部６２の内面側にはそれぞれ、マグネット４３が取り付けられる。なお、３つのＬ形状部６３〜６５は、後述されるスキュー角調整に際して利用されるものであり、底面部６１に平行となっている上端面にはそれぞれ、ネジ穴あるいは貫通穴６３ａ、６４ａ、６５ａが形成されている。底面部６１の一部、つまり立上げ部６２と反対側の部分はダンパベース５０を載せて固定するための固定部６６として利用される。つまり、ダンパベース５０には上下方向に貫通する２つの穴５０ａが形成されている。一方、固定部６６には２つの穴５０ａに対応するように２つのネジ穴６６ａが形成されている。ダンパベース５０の上方からネジ穴６６ａに向けて垂直方向にネジ５５を螺入することでダンパベース５０は、ヨーク６０の固定部６６に固定される。
【００１０】
勿論、ヨーク６０に対するダンパベース５０の取付けは、上記各要素の組立てを行った後に行われる。つまり、フォーカシングコイル４１及びトラッキングコイル４２を装着したボビン４０をレンズホルダー３０に組み合わせた後、ボビン４０とダンパベース５０との間をサスペンションワイヤ５１で連結する。一方、ヨーク６０にはマグネット４３を取り付ける。そして、２つの立上げ部６２がそれぞれ、ボビン４０の開口４０ａ、前述したボビン４０とレンズホルダー３０との間の隙間に入り込むようにした状態で、ダンパベース５０をヨーク６０に固定する。
【００１１】
図８は、以上のようにして組み立てられた光ピックアップアクチュエータ２００を示す。なお、２つの立上げ部６２の上端部には閉じた磁気回路を形成するためのアッパーヨーク６８が組み付けられる。
【００１２】
図９は、光ピックアップアクチュエータ２００を光学ベース３００に実装した状態を示している。前述したように、本光ピックアップアクチュエータ２００は２波長対応型であるので、光学ベース３００には、例えばＤＶＤ用、ＣＤ用の２つのレーザダイオード３１０、３２０が取り付けられている。光学ベース３００にはまた、これら２つのレーザダイオード３１０、３２０からのレーザビームを光ピックアップアクチュエータ２００における対物レンズ７１を通して光ディスクに照射し、その反射光を受光器に導くための各種光学要素を含む光学経路が構成される。しかし、このような光学経路に関しては後で説明することとし、ここでは図示、説明は省略する。また、光学ベース３００には外部回路との接続のためにフレキシブルプリント基板３３０（一部のみ示す）が設けられている。
【００１３】
いずれにしても、光ピックアップアクチュエータ２００は、光学ベース３００への実装に際してはスキュー角調整が行われ、その後に光学ベース３００に固定される。
【００１４】
スキュー角調整は、３つのＬ形状部６３〜６５を利用して行われる。つまり、本例では、Ｌ形状部６４を支点として作用させるべく、このＬ形状部６４と光学ベース３００との間をコ字形状のばね板３４０で挟み付けた状態にする。なお、ばね板３４０が外れたり、位置がずれることを防ぐために、ばね板３４０においてＬ形状部６４の貫通穴６４ａに対応する箇所には、これに嵌合するような半球状の突起が形成されている。光学ベース３００においてＬ形状部６３、６４のネジ穴６３ａ、６５ａに対応する箇所にはそれぞれ、ネジを挿通するための貫通穴が設けられている。光学ベース３００の図中下面側から上記貫通穴を通してネジ穴６３ａ、６５ａにネジを螺入する。そして、それらのねじ込み量を微調整することで光ピックアップアクチュエータ２００を光学ベース３００の実装面（基準面）に対して回動させ、スキュー角を所定の値に設定する。この設定作業が終了したら、光ピックアップアクチュエータ２００を光学ベース３００に対して接着剤等で固定する。
【００１５】
ところが、上記の光ピックアップアクチュエータ２００は、ヨーク６０に変形を生じ易く、スキュー角設定作業が終了した後に衝撃等の原因によりヨーク６０が変形するとスキュー角が設定値からずれてしまうことがあった。ヨーク６０が変形し易い原因として以下の点があげられる。
【００１６】
１．ヨーク６０が長さ方向に長くなっている。これは、ヨーク６０の底面部６１にダンパベース５０を載せて固定するための固定部６６を設けるようになっているからである。そのために、底面部６１の面積が大きくなり、その分変形し易くなる。
【００１７】
２．長さ方向に長くなった底面部６１の一端側、つまり固定部６６でダンパベース５０の荷重とこれにより支持されているボビン４０、レンズホルダー３０等の可動部分の荷重とを受ける。加えて、底面部６１には立上げ部６２を切り起こして形成するための開口があり、この開口の両側の細長い部分で上記荷重を受けている部分を支持している。一方、底面部６１の３箇所にＬ形状部６３〜６５が形成され、特にＬ形状部６４と６５との間の間隔が大きくなっている。以上のような要因が関連し合って、底面部６１やＬ形状部６５にストレスが作用し易く、衝撃等の影響を受け易い構造になっている。
【００１８】
【特許文献１】特開２００３−２７２２２０号公報
【発明の開示】
【発明が解決しようとする課題】
【００１９】
そこで、本発明の技術的課題は、スキュー角調整後にヨークに変形を生じにくい構造の光ピックアップを提供することにある。
【００２０】
本発明の他の技術的課題は、薄型化に寄与し得る構造の光ピックアップを提供することにある。
【課題を解決するための手段】
【００２１】
本発明によれば、対物レンズ（２）を保持し、少なくともトラッキングコイル（５）、フォーカシングコイル（３）を取り付けた対物レンズホルダー（１）と、該対物レンズホルダーを複数のサスペンションワイヤ（１１）を介して揺動可能に支持しているダンパベース（１０）と、前記トラッキングコイル、フォーカシングコイルに対して磁気的に作用するマグネット（１６）を取り付けたヨーク（１５）とを含む光ピックアップにおいて、前記ヨークは板状部材で作られ、主面部とその一端側から前記対物レンズの光軸方向と同じ方向に延びる第１の壁部材（１５−１）とを有し、該第１の壁部材の外面側に前記ダンパベースを当接させて該ダンパベースを前記ヨークに一体化したことを特徴とする光ピックアップが提供される。
【００２２】
本光ピックアップにおいては、前記対物レンズホルダーは、前記対物レンズホルダーを保持した装着部（１−１）の両側にそれぞれ前記光軸方向と同じ方向に関して中空の収容部（１−２）を有し、これら２つの収容部内にそれぞれ空芯の前記フォーカシングコイルをその中心軸が前記光軸方向と同じ方向になるように取り付けており、前記ヨークは、前記主面部から前記対物レンズの光軸方向と同じ方向に延びる２つのヨーク片（１５−３）を有し、これら２つのヨーク片を前記収容部内の２つの前記フォーカシングコイルの空芯部に挿入していることを特徴とする。
【００２３】
本光ピックアップにおいては、前記ヨークは更に、前記一端側とは反対側の前記主面部の端部から前記光軸方向と同じ方向に延びる第２の壁部材（１５−２）を有し、前記第１、第２の壁部材の内面側にそれぞれ前記マグネットを取り付けていることを特徴とする。
【００２４】
本光ピックアップにおいては、前記第１、第２の壁部材、前記２つのヨーク片は、前記主面部からの折り曲げ加工により形成されたものであることを特徴とする。
【００２５】
本光ピックアップにおいては、前記主面部は矩形状であり、２つの対角線の内の一方の対角線上の２つのコーナ部に近い箇所にそれぞれ、該ヨークを光学ベース（１５０）に固定するための第１、第２の固定部（１５−５、１５−６）を有することを特徴とする。
【００２６】
本光ピックアップにおいては、前記ダンパベースは、前記第１の壁部材側に向けて突出する突出部（１０−２）を有し、該突出部の先端側を前記第１の壁部材の外面側に当接させた状態にて該ダンパベースから前記第１の壁部材に向けて水平方向にネジ（１２）を螺入して前記ダンパベースを前記ヨークに一体化しており、前記突出部には該ダンパーベースを前記光学ベースに固定するための第３の固定部（１０ｂ）を設けたことを特徴とする。
【００２７】
ここで、上記括弧内の参照符号は本発明の理解を容易にするために付した一例であって、本発明は、上記参照符号で示された例に限定されるものではないことは勿論である。
【発明の効果】
【００２８】
本発明によれば、ダンパベースを、ヨークに形成した第１の壁部材に水平方向に取り付けるようにしてダンパベースを載せる部分の面積を省略できるようにしたことにより、ヨークの主面部の面積を小さくすることができる。加えて、ヨークの主面部は、ダンパベースの荷重やこれにより支持されている可動部分の荷重を支持する必要が無いので、主面部にストレスが作用することが少なく、これによって衝撃等に起因したヨークの変形を防止することができる。
【００２９】
また、ヨークの変形を抑制できるのでヨークの肉厚、特に主面部の肉厚を小さくすることができ、光ピックアップの薄型化に寄与せしめることができる。
【００３０】
更に、ヨークの変形を抑制できるので、スキュー角調整後の衝撃等に起因したヨークの変形によるスキュー角の設定値からのずれを防止することができる。
【発明を実施するための最良の形態】
【００３１】
図１〜図４を参照して、本発明の実施の形態による光ピックアップについて説明する。本光ピックアップも２波長対応型である。
【００３２】
図１は本発明の実施の形態による光ピックアップアクチュエータ１００の組立て前の分解斜視図であり、図２は組立て後の斜視図である。
【００３３】
本実施の形態においては、前述した対物レンズホルダー３０とは別の構造を持つ対物レンズホルダー（以下、レンズホルダーと呼ぶ）１を備える。レンズホルダー１は、中央に対物レンズ２を装着するための貫通穴によるレンズ装着部１−１を有し、両側には空芯のフォーカシングコイル３を収容するための貫通穴による収容部１−２を有する。
【００３４】
収容部１−２には図１に示される下側からフォーカシングコイル３とチルトコイル４とが重ねて収容、固着される。収容部１−２はまた、その上側の開口がヨークの一部（後述する）を露出させるための開口となる。レンズホルダー１の４つの外側壁のうち、トラッキング方向Ｔｒ、つまり幅方向に平行な２つの外側壁には収容部１−２に対応する箇所にそれぞれ、トラッキングコイル５を取り付けるための取付け部１−３が設けられている。
【００３５】
レンズホルダー１は、本実施の形態では、６本のサスペンションワイヤ１１によりダンパベース１０で支持される。つまり、ダンパベース１０におけるタンジェンシャル方向Ｔｇに平行な２つの側壁にはそれぞれ、３本のサスペンションワイヤ１１の一端を支持するための３段の支持部１０−１が形成されている。各サスペンションワイヤ１１の一端は支持部１０−１を貫通し、突き抜けた部分で固着される。一方、レンズホルダー１におけるタンジェンシャル方向Ｔｇに平行な２つの側壁にはそれぞれ、３本のサスペンションワイヤ１１の他端を支持するための３つの支持部１−５が形成されている。各サスペンションワイヤ１１の他端は支持部１−５を貫通し、突き抜けた部分で固着される。
【００３６】
周知のように、これらの６本のサスペンションワイヤ１１は、上記の各種コイルと外部回路、つまり光ピックアップアクチュエータ１００のための駆動回路とを電気的に接続するための配線としても利用される。
【００３７】
レンズホルダー１の下側には、上記の各種コイルとの間で磁気回路を形成するためのヨーク１５と４つのマグネット１６との組合わせ体が配置される。ヨーク１５は、レンズホルダー１の一方の側壁に取り付けられた２つのトラッキングコイル５と間隔をおいて対向する第１の立上げ部（第１の壁部材）１５−１と、レンズホルダー１の他方の側壁に取り付けられた２つのトラッキングコイル５と間隔をおいて対向する第２の立上げ部（第２の壁部材）１５−２とを有する。ヨーク１５はまた、第１の立上げ部１５−１と第２の立上げ部１５−２との間に、２つの第３の立上げ部（ヨーク片）１５−３を有する。２つの第３の立上げ部１５−３はそれぞれ、レンズホルダー１の収容部１−２に収容されたフォーカシングコイル３内に挿通するようにされる。なお、第２の立上げ部１５−２には、レンズホルダー１に装着された対物レンズ２に対するレーザビームの光路を確保するために切欠き１５−２ａが形成されている。
【００３８】
いずれにしても、このようなヨーク１５は板部材により作られ、第１〜第３の立上げ部１５−１〜１５−３は、矩形状の底面部（主面部）からの折曲げ加工により形成される。
【００３９】
４つのマグネット１６のうちの２つは第１の立上げ部１５−１の内面側に取り付けられて２つのトラッキングコイル５に対向し、残りの２つは第２の立上げ部１５−２の内面側に取り付けられて２つのトラッキングコイル５に対向する。
【００４０】
ダンパベース１０は、ヨーク１５側に向けた突出部１０−２を有し、この突出部１０−２を利用してネジ１２によりヨーク１５の第１の立上げ部１５−１に固定される。つまり、ダンパベース１０は、ヨーク１５に対して水平方向から取り付けられる。このため、ダンパベース１０の側面にはネジ１２の頭部を収容可能な凹部１０ａが形成され、突出部１０−２にはネジ１２のネジ部を通すための貫通穴が形成されている。上記の貫通穴に対応する第１の立上げ部１５−１にはネジ１２を螺入するためのネジ穴１５−１ａが形成されている。第１の立上げ部１５−１の上端部にはまた２つの切り欠き部１５−１ｂが形成されている。一方、ダンパベース１０の突出部１０−２の先端には２つの切り欠き部１５−１ｂに嵌合する２つの突起部１０−２ｂが設けられている。ダンパベース１０の突出部１０−２の先端側上部には、２つの突起部１０−２ｂの間に上記の貫通穴の近くまで延びる凹部１０−２ａが形成されている。この凹部１０−２ａには接着剤が充填されることにより、ヨーク１５に対するダンパベース１０の固定は接着剤によっても行われる。接着剤による固定は凹部１０−２ａ以外の箇所でも行われるが、これについては後述する。ダンパベース１０の上記側面にはまた、上記の外部回路との接続のためのプリント配線基板１３が取り付けられ、各サスペンションワイヤ１１の一端が接続される。
【００４１】
ヨーク１５にはまた、本光ピックアップアクチュエータ１００の組立て後、これを光学ベース（図示せず）に実装する際に、スキュー角調整を行うための立上げ片１５−５、１５−６（第１、第２の固定部）が設けられている。立上げ片１５−５はスキュー角調整時の支点として作用するものであり、立上げ片１５−６には後述する光学ベース側からスキュー角調整用のネジ（図示せず）を螺入するための穴１５−６ａが形成されている。立上げ片１５−６は、第２の立上げ部１５−２を利用して立上げ片１５−５よりやや低い高さ位置に設けられている。なお、スキュー角調整を行うためには、１つの支点と２つのネジによる調整箇所が必要である。本形態では、他の１つの調整箇所をダンパベース１０に設けるようにしている。つまり、ダンパベース１０には第１の立上げ部１５−１側に向けて突出部１０−２が形成され、この突出部１０−２に光学ベース側からスキュー角調整用のネジが螺入されるナット１４を受けるための凹部１０ｂ（第３の固定部）が形成されている。このため、ダンパベース１０は、第１の立上げ部１５−１に対して突出部１０−２の突出長だけ離れた状態でヨーク１５に一体化される。
【００４２】
いずれにしても、ヨーク１５は、ダンパベース１０の一体化を底面部ではなく、第１の立上げ部１５−１に対して水平方向のネジ止めにより行うようにしている。このため、ヨーク１５の底面部の面積が、図７で説明した従来のヨーク６０の底面部より大幅に狭くなっている。
【００４３】
上記の他に、レンズホルダー１において支持部１−５が形成されている２つの側壁にはそれぞれ、サスペンションワイヤ１１と各種コイルとの接続を行うための回路基板１７が取り付けられる。また、対物レンズ２は、２つのバンパー１８によりレンズホルダー１に押さえるようにされる。更に、レンズホルダー１の上側には、ヨーク１５との間で磁気回路を形成するためのアッパーヨーク１９が装着される。
【００４４】
なお、ヨーク１５は、図１に示された底面部が必ず下側にあるように組み付けられるとは限らない。つまり、図１に示されたヨーク１５は、上下逆にして組み付けられる場合もある。この場合、図１のアッパーヨーク１９は光ピックアップアクチュエータの底面側に装着されることになる。
【００４５】
以上のような構成により組み立てられた後の対物レンズ駆動装置の全体図が図２である。
【００４６】
図３（ａ）は、ネジ１２によるヨーク１５へのダンパベース１０の取付けを分りやすく示した平面図であり、図３（ｂ）はその側面図である。つまり、光ピックアップアクチュエータ１００の上面側からネジ１２を見ることはできないが、分かり易くするために実線で示している。ダンパベース１０にはその側面から突出部１０−２の途中まで延びる凹部１０ａが形成され、突出部１０−２にはネジ１２のネジ部を通すための貫通穴が形成されている。ダンパベース１０はその突出部１０−２の先端がヨーク１５の第１の立上げ１５−１に密着するようにヨーク１５に固定される。
【００４７】
図４（ａ）は、光ピックアップアクチュエータ１００を底面側から見た図であり、図１で説明したヨーク１５へのダンパベース１０の接着箇所とは別の接着箇所を分かり易く示している。図４（ｂ）はその側面図である。ダンパベース１０の突出部１０−２の先端側下部には、前述した凹部１０−２ａの両側に対応する２箇所に凹部１０−２ｃが形成されている。これらの凹部１０−２ｃにも接着剤が充填されることにより、ダンパベース１０がヨーク１５の第１の立上げ部１５−１に接着される。
【００４８】
次に、図５を参照して、２波長対応光ピックアップの光学系の構成について説明する。この例では、光学的記録媒体（光ディスク）が水平に置かれた場合を例に挙げて説明するが、垂直（鉛直）に置かれても良いのは勿論である。
【００４９】
この２波長対応光ピックアップは、第１の波長を持つ第１のレーザ光を出射するＤＶＤ用の第１のレーザダイオード１０１と、第１の波長とは異なる第２の波長を持つ第２のレーザ光を出射するＣＤ用の第２のレーザダイオード１０２と、第１および第２の回折格子（グレーティング）１０３および１０４と、第１のビームスプリッタ１０５と、広帯域１／４波長板１０６と、第２のビームスプリッタ１０７と、コリメータレンズ１０８と、全反射型ミラー（立上げミラー）１０９と、対物レンズ２と、検出レンズ１１０と、受光素子（光検出器）１１１と、モニタ用検出器１１２とを備えている。第１のビームスプリッタ１０５は、第１の回折格子１０３からのレーザ光はそのまま透過し、第２の回折格子１０４からのレーザ光についてはほぼ９０度の角度で反射させる。第２のビームスプリッタ１０７は、広帯域１／４波長板１０６からのレーザ光を一部透過させ、残りはコリメータレンズ１０８側に反射させる。第２のビームスプリッタ１０７で一部透過されたレーザ光はモニタ用検出器１１２に入射してモニタに供される。第２のビームスプリッタ１０７はまた、コリメータレンズ１０８側からのレーザ光はそのまま透過させる。
【００５０】
第１の回折格子１０３、第１のビームスプリッタ１０５、広帯域１／４波長板１０６、第２のビームスプリッタ１０７、コリメータレンズ１０８、全反射ミラー１０９、対物レンズ２、および検出レンズ１１０の組み合わせは、第１のレーザダイオード１０１から出射された第１のレーザ光を光ディスク１２０Ａ側へ導くとともに、この光ディスク１２０Ａ側から反射された第１の戻り光を光検出器１１０へ導く第１の光学系として働く。
【００５１】
同様に、第２の回折格子１０４、第１のビームスプリッタ１０５、広帯域１／４波長板１０６、第２のビームスプリッタ１０７、コリメータレンズ１０８、全反射ミラー１０９、対物レンズ２、および検出レンズ１１０の組合わせは、第２のレーザダイオード１０２から出射された第２のレーザ光を光ディスク１２０Ｂ側へ導くとともに、この光ディスク１２０Ｂ側から反射された第２の戻り光を光検出器１１０へ導く第２の光学系として働く。
【００５２】
次に、各光学要素の作用（働き）について説明する。
【００５３】
第１のレーザダイオード１０１は、第１の波長としてＤＶＤ用の波長約６５０ｎｍを持つ第１のレーザ光を出射するレーザダイオードであって、「ＤＶＤ−ＬＤ」と略称される。第２のレーザダイオード１０２は、第２の波長としてＣＤ用の波長約７８０ｎｍを持つ第２のレーザ光を出射するレーザダイオードであって、「ＣＤ−ＬＤ」と略称される。第１の回折格子１０３は、第１のレーザダイオード１０１から出射された１本の第１のレーザ光を３本のレーザ光（中央の光束とその両側の２本の光束）に分離するためのものである。同様に、第２の回折格子１０４は、第２のレーザダイオード１０２から出射された１本の第２のレーザ光を３本のレーザ光（中央の光束とその両側の２本の光束）に分離するためのものである。
【００５４】
第１のビームスプリッタ１０５は、第１のレーザダイオード１０１から出射された第１のレーザ光又は第２のレーザダイオード１０２から出射された第２のレーザ光を同一の光軸上へ導く光軸一致手段として働く。
【００５５】
広帯域１／４波長板１０６は、直線偏光と円偏光との間で偏光方向を変える手段として働く。コリメータレンズ１０８は、第２のビームスプリッタ１０７で反射されたレーザ光を平行光に変換するためのものである。全反射ミラー１０９は、コリメータレンズ１０８からのレーザ光を直角に折り曲げて反射するためのものである。対物レンズ２は全反射ミラー１０９からの平行光を光ディスク１２０Ａ又は１２０Ｂ上へ照射するためのものである。
【００５６】
光ディスク１２０Ａまたは１２Ｂで反射された反射光（戻り光）は、検出レンズ１１０を介して光検出器１１１で受光される。
【００５７】
次に、本２波長対応光ピックアップの動作について説明する。最初に、ＤＶＤによる光ディスク１２０Ａを使用した場合の動作について説明する。この場合、第１のレーザダイオード１０１（ＤＶＤ−ＬＤ）のみが動作状態に置かれ、第２のレーザダイオード１０２（ＣＤ−ＬＤ）は非動作状態に置かれる。したがって、第１のレーザダイオード１０１のみが第１のレーザ光を出射している。
【００５８】
ＤＶＤ用の第１のレーザダイオード１０１から出射された第１のレーザ光は、第１の回折格子１０３を通り、ここでトラッキング制御を行うための３本のレーザ光に分離される。その後、３本のレーザ光は第１のビームスプリッタ１０５に入射する。第１のビームスプリッタ１０５に入射した第１のレーザ光は、そのまま透過される。第１のビームスプリッタ１０５を透過した第１のレーザ光は、広帯域１／４波長板１０６を透過し、ここで、直線偏光（Ｓ偏光）から円偏光に変換される。この円偏光の第１のレーザ光は、第２のビームスプリッタ１０７で反射される。第２のビームスプリッタ１０７で反射されたレーザ光は、コリメータレンズ１０８を透過すると、発散光であったレーザ光が平行光にされて、全反射ミラー１０９を経て対物レンズ２に入射する。この対物レンズ２を透過したレーザ光は、ここで収束されて、光ディスク１２０Ａの記録面に照射される（集光される）。
【００５９】
なお、この技術分野で周知のように、２波長対応光ピックアップアクチュエータは、書込みモードと再生モードとのいずれか一方のモードで動作する。書込みモードの場合には、上記の説明で動作が終了する。それに対して、再生モードの場合には、さらに、次の動作が行われる。
【００６０】
この光ディスク１２０Ａ４０の記録面からの反射光（第１の戻り光）は、対物レンズ２を通過し、全反射ミラー１０９、コリメータレンズ１０８を透過した後、収束光になる。この収束光は、第２のビームスプリッタ１０７および検出レンズ１１０を透過した後、光検出器１１１に集光する（で受光される）。
【００６１】
次に、ＣＤによる光ディスク１２０Ｂが使用される場合、第２のレーザダイオード１０２（ＣＤ−ＬＤ）のみが動作状態に置かれ、第１のレーザダイオード１０１（ＤＶＤ−ＬＤ）は非動作状態に置かれる。したがって、第２のレーザダイオード１０２のみが第２のレーザ光を出射している。
【００６２】
ＣＤ用の第２のレーザダイオード１０２から出射された第２のレーザ光は、第２の回折格子１０４で３本のレーザ光に分離された後、第１光ビームスプリッタ１０５に入射する。第１のビームスプリッタ１０５に入射した第２のレーザ光は、その光路が９０°曲げられる（すなわち、反射される）。第１のビームスプリッタ１０２で反射された第２のレーザ光は、広帯域１／４波長板１０６４を透過することで直線偏光（Ｓ偏光）から円偏光に変換され、その後、第２のビームスプリッタ１０７で反射される。第２のレーザ光は、コリメータレンズ１０８を透過すると、発散光であったレーザ光が平行光にされて、全反射ミラー１０９で上部方向に反射される。全反射ミラー１０９で反射されたレーザ光は、対物レンズ２に入射する。対物レンズ２を透過したレーザ光は、ここで収束されて、光ディスク１２Ｂの記録面に照射される（集光される）。
【００６３】
光ディスク１２０Ｂの記録面からの反射光（第２の戻り光）は、鉛直下方向へ進み、対物レンズ２を通過し、コリメータレンズ１０８を透過した後、収束光になる。この収束光は、第２のビームスプリッタ１０７、検出レンズ１１０を透過した後、光検出器１１１に集光する（で受光される）。
【００６４】
次に、図６を参照して、本光ピックアップアクチュエータ１００を光学ベース１５０に実装する際に行われるスキュー角調整について説明する。なお、１３０は、外部回路との接続のためのフレキシブルプリント基板である。
【００６５】
スキュー角の調整は、従来と同様、立上げ片１５−５を支点として行われる。つまり、立上げ片１５−５と光学ベース１５０とを挟むようにしてコ字形状のばね板１５１が取り付けられる。一方、立上げ片１５−６のネジ穴１５−６ａ、及びナット１４に光学ベース１５０の下面側からネジが螺入され、それらのねじ込み量を調節することで光ピックアップアクチュエータ１００のスキュー角が所定角度の設定される。設定が終了したら、光ピックアップアクチュエータ１００は光学ベース１５０に接着剤等により固定される。
【００６６】
いずれにしても、本実施の形態による光ピックアップアクチュエータは、図１において説明したように、ヨーク１５の底面部の面積を大幅に小さくしている。加えて、ダンパベース１０を光学ベースに１５０に固定するようにしているので、ヨーク１５の底面部はダンパベース１０の荷重やこれにより支持されているレンズホルダー１等の可動部分の荷重を支持する必要が無い。これにより、ヨーク１５の底面部にストレスが作用することが少ない。更に、ヨーク１５に形成される固定部は底面部の対角線上にあるＬ形状部１５−５と１５−６の２つだけであり、３つ目はダンパベース１０の突出部１０−２に設けられるので、Ｌ形状部１５−５、１５−６に作用するストレスも少ない。これにより、ヨーク１５に衝撃等による変形が生じにくくなり、スキュー角調整後に衝撃等に起因してスキュー角が設定値から外れてしまうというような問題点の発生を防止することができる。加えて、ヨーク１５に変形が生じにくくなったことにより、特に、底面部の肉厚を薄くすることができ、光ピックアップアクチュエータの薄型化に寄与せしめることができる。
【産業上の利用可能性】
【００６７】
本発明に係る光ピックアップは、光ディスクドライブ、特に、薄型の光ディスクドライブに最適であり、光ディスク（ＣＤ，ＣＤ−ＲＯＭ，ＣＤ−Ｒ，ＣＤ−ＲＷ，ＤＶＤ−ＲＯＭ、ＤＶＤ＋Ｒ、ＤＶＤ−Ｒ、ＤＶＤ−ＲＡＭ、ＤＶＤ＋ＲＷ、ＤＶＤ−ＲＷ、等）に記録された情報を読み出したり、あるいは情報を書き込んだりするための光ディスクドライブ全般に適用可能である。勿論、２波長対応光ピックアップに限定されるものでもなく、１波長単独の光ピックアップにも適用可能である。
【図面の簡単な説明】
【００６８】
【図１】本発明の実施の形態による２波長対応光ピックアップアクチュエータの組立て前の分解斜視図である。
【図２】図１の光ピックアップアクチュエータの組立て後の斜視図である。
【図３】図２の光ピックアップアクチュエータにおけるヨークへのネジによるダンパベースの一体化構造を分かり易く説明するための図であり、図３（ａ）は平面図、図３（ｂ）は側面図である。
【図４】図２の光ピックアップアクチュエータにおけるヨークへの接着剤によるダンパベースの一体化構造を分かり易く説明するための図であり、図４（ａ）は底面側から見た図、図４（ｂ）は側面図である。
【図５】図１の２波長対応光ピックアップアクチュエータの光学系の構成について説明するための図である。
【図６】図１の２波長対応光ピックアップアクチュエータを光学ベースに実装する際のスキュー角調整について説明するための図であり、図６（ａ）は平面図、図６（ｂ）は底面側から見た図である。
【図７】従来の光ピックアップアクチュエータの組立て前の分解斜視図である。
【図８】図７に示された光ピックアップアクチュエータの組立て後の斜視図である。
【図９】図７に示された光ピックアップアクチュエータを光学ベースに実装する際のスキュー角調整について説明するための図である
【符号の説明】
【００６９】
１、３０    対物レンズホルダー
２、７１    対物レンズ
３、４１    フォーカシングコイル
４    チルトコイル
５、４２    トラッキングコイル
１０、５０    ダンパベース
１１、５１    サスペンションワイヤ
１５、６０    ヨーク
１６、４３    マグネット
１００、２００    光ピックアップアクチュエータ
１５０、３００    光学ベース
【図１】
2006018887.tif 000003
【図２】
2006018887.tif 000004
【図３】
2006018887.tif 000005
【図４】
2006018887.tif 000006
【図５】
2006018887.tif 000007
【図６】
2006018887.tif 000008
【図７】
2006018887.tif 000009
【図８】
2006018887.tif 000010
【図９】
2006018887.tif 000011